【手続補正書】
【提出日】平成24年1月11日(2012.1.11)
【手続補正１】
【補正対象書類名】特許請求の範囲
【補正対象項目名】全文
【補正方法】変更
【補正の内容】
【特許請求の範囲】
【請求項１】
複製層（２３、４３）を有するフィルムエレメント（２、４、７）であって、前記複製層の第一の表面に光学的活性表面構造（２７）が形成され、
前記表面構造（２７）が、第一の包絡線（２８、４７）をたどる多数の連続するエレメントを含む第一の回折表面レリーフ（４６）により、前記フィルムエレメントの少なくとも第一の領域（３１、３５、７３）に形成され、前記エレメントは、それぞれ、ベース表面に実質的に平行に配置されるエレメント表面（２９、４８）と、隣り合う前記エレメント表面に隣接する少なくとも一つの側面とを含み、隣り合うエレメントの前記エレメント表面（２９、４８）は、前記ベース表面に垂直な方向に、第一の光学的間隔または該第一の光学的間隔複数の間隔で間隔を置き、該第一の光学的間隔は、150nmから800nm、好ましくは150nmから400nmであり、前記第一の包絡線（２８、４７）は、100L/mmから2000L/mmの空間周波数と、450nm以上の光学的深度とを有し、前記レリーフ形状および前記包絡線（２８、４７）の前記空間周波数が、入射光が一つ以上の第一の方向に回折されて、明度が前記第一の光学的間隔によりさらに決定される第一の情報のアイテムを提示するように選択されること、
を特徴とするフィルムエレメント。
【請求項２】
前記第一の包絡線（４７）が、非対称レリ−フ形状を有すること、
を特徴とする請求項１に記載のフィルムエレメント（４）。
【請求項３】
前記第一の包絡線が、第一の空間方向において、第一の一定空間周波数を有し、前記第一の包絡線が、前記第一の空間方向とは異なる第二の空間方向において、前記第一の一定空間周波数とは異なる第二の一定空間周波数を有すること、
を特徴とする請求項１または２に記載のフィルムエレメント。
【請求項４】
前記第一の領域（８１、９０）が、300μm以下の幅の帯形状形態の第一のサブ領域（８３、９１）２つ以上により形成され、前記第一のサブ領域（８３、９１）の重心線が、300μm以下のラスター幅の周期的な第一のラスターに従って、互いに間隔を置き、および／または前記第一のサブ領域（９１）の前記幅が、グレースケールイメージを形成するために変化すること、
を特徴とする請求項１〜３のいずれか１項に記載のフィルムエレメント。
【請求項５】
少なくとも一つの第二の領域（３２、３３、３４、３６、７４）において、前記表面構造が、前記第一の表面レリーフと異なり、第二の情報のアイテムを提示する、第二の表面レリーフ（４９）により形成されること、
を特徴とする請求項１〜４のいずれか１項に記載のフィルムエレメント（２、４、７）。
【請求項６】
前記第一の領域（８１、９０）が、300μm以下の幅の帯形状形態の第一のサブ領域（８３、９１）２つ以上により形成され、前記第二の領域（８２）が、300μm以下の幅の帯形状形態の第二のサブ領域（８４）２つ以上により形成され、前記第二のサブ領域（８４）が、300μm以下のラスター幅の周期的な第二のラスターに従って互いに間隔を置き、１つの第二のサブ領域が、少なくとも部分的に、２つの第一のサブ領域の間に配置されること、
を特徴とする請求項５に記載のフィルムエレメント。
【請求項７】
前記第一および／または前記第二の領域（３１、３４）が、それぞれ第三および第四の情報のアイテムの形態のパターン形態で形成され、および／または、前記第一および前記第二の情報のアイテムおよび／または前記第三および前記第四の情報のアイテムが、互いに補足的な情報のアイテムを提示すること、
を特徴とする請求項５または６に記載のフィルムエレメント（２）。
【請求項８】
前記第二の表面レリーフが、回折表面レリーフ、特に、回折格子、キネグラム（登録商標）またはホログラムであり、または、前記第二の表面エレメントが、無彩色表面レリーフ、特に、マット構造、マクロ構造またはブレーズ格子であること、
を特徴とする請求項５〜７のいずれか１項に記載のフィルムエレメント（２、４）。
【請求項９】
前記第二の表面レリーフ（３２、７４）が、第二の包絡線をたどる多数の連続するエレメントを含み、前記エレメントは、それぞれ、ベース平面に実質的に平行に配置されるエレメント表面と、隣り合う前記エレメント表面に隣接する少なくとも一つの側面とを含み、隣り合うエレメントの前記エレメント表面は、前記ベース平面に垂直な方向に、第二の光学的間隔または該第二の光学的間隔複数の間隔で間隔を置き、該第二の光学的間隔は、150nmから800nm、好ましくは150nmから400nmであり、前記第二の包絡線は、100L/mmから2000L/mmの空間周波数と、450nm以上の光学的深度とを有し、前記レリーフ形状および前記第二の包絡線の空間周波数が、入射光が一つ以上の第二の方向に回折されて、明度が前記第二の光学的間隔によりさらに決定される前記第二の情報のアイテムを提示するように選択されること、
を特徴とする請求項５〜７のいずれか１項に記載のフィルムエレメント（２、４、７）。
【請求項１０】
前記第一の包絡線および前記第二の包絡線が、異なる包絡線であり、異なる方向に入射光を回折し、特に、前記第一および第二の包絡線の前記空間周波数および／またはアジマス角、または、前記第一および第二の包絡線の前記レリーフ形状が異なり、特に、前記第一の包絡線の前記レリーフ形状が対称で前記第二の包絡線が非対称であり、またはその逆であり、または、前記第一および第二の包絡線が、互いに鏡面反転非対称形状であること、
を特徴とする請求項９に記載のフィルムエレメント（２、７）。
【請求項１１】
前記第一の光学的間隔が、前記第二の光学的間隔と25nm以上異なり、および／または、前記第一の領域において前記エレメント表面が平行に配置される前記ベース表面と、前記第二の領域において前記エレメント表面が平行に配置される前記ベース表面とが、互いに関連して、0°以上、好ましくは10°以上の傾斜角を含むこと、
を特徴とする請求項９または１０に記載のフィルムエレメント（７）。
【請求項１２】
前記表面構造の領域（６０、６５、７１）が、互いに接する多数のドメイン領域（７２）にさらに分割され、少なくとも一方向において300μm以下の寸法であり、ドメイン領域の第一のグループのドメイン領域（７２）にそれぞれ第一の領域（７３）および第二の領域（７４）が備えられ、第二の領域ではなく第一の領域が、ドメイン領域の第二のグループの前記ドメイン領域にそれぞれ備えられ、第一の領域ではなく第二の領域が、ドメイン領域の第三のグループの前記ドメイン領域にそれぞれ備えられ、または、前記ドメイン領域（７２）それぞれが、第一の領域（７３）および第二の領域（７４）を有すること、
を特徴とする請求項９〜１１のいずれか１項に記載のフィルムエレメント（７）。
【請求項１３】
前記ドメイン領域（７２）における前記第一および／または前記第二の領域（７３、７４）の面積成分が多様であること、
を特徴とする請求項１２に記載のフィルムエレメント。
【請求項１４】
前記第一および第二の包絡線が同一であり、前記第一および第二の光学的間隔が互いに異なり、観察者に対してマルチカラーの光学的可変表現が前記領域において生じること、
を特徴とする請求項１２または１３に記載のフィルムエレメント。
【請求項１５】
前記第一および第二の包絡線が互いに異なり、入射光を互いに異なる第一および第二の方向に回折し、前記ドメイン領域（７２）が、前記第一の表面形状および前記第二の表面形状に相当する表面形状がそれぞれ前記表面構造を形成する第三および第四の領域（７５、７６）をさらに有し、前記第三および第四の表面形状が、それらの光学的間隔が前記第一の光学的間隔および前記第二の光学的間隔とそれぞれ異なる点でのみ、それぞれ前記第一の表面形状および前記第二の表面形状と異なること、
を特徴とする請求項１２または１３に記載のフィルムエレメント（７）。
【請求項１６】
前記エレメント表面が実質的に平行に配置される前記ベース表面が、前記複製層の前記第一の表面の反対側の第二の表面に対して傾き、好ましくは5°以上の角度を成すこと、
を特徴とする請求項１〜１５のいずれか１項に記載のフィルムエレメント。